(57)【要約】【課題】２以上の薬液注入装置を簡易に機械的に連結でき得る薬液注入装置の連結構造を提供する。【解決手段】２以上の薬液注入装置を互いに連結する薬液注入装置の連結構造は、前記薬液注入装置のベース部材１８の端部近傍に設けられた被連結部２０と、隣接して連結される二つの薬液注入装置それぞれの前記被連結部２０に係合する連結部４２を二つ備えたスライド金具４０と、を備え、前記被連結部２０および前記連結部４２の一方は、第一の方向に延びる溝を有し、他方は、前記第一の方向にスライド移動することで前記溝に挿入され、かつ、第一の方向以外への移動が規制される突起を有する。【選択図】図３
0003178818.tif 000002
【実用新案登録請求の範囲】
【請求項１】
２以上の薬液注入装置を互いに連結する薬液注入装置の連結構造であって、
前記薬液注入装置のベース部材の端部近傍に設けられた被連結部と、
連結される複数の薬液注入装置それぞれの前記被連結部に係合する連結部を備えたスライド金具と、
を備え、
前記被連結部および前記連結部の一方は、第一の方向に延びる溝を有し、
前記被連結部および前記連結部の他方は、前記第一の方向にスライド移動することで前記溝に挿入され、かつ、第一の方向以外への移動が規制される突起を有する、
ことを特徴とする薬液注入装置の連結構造。
【請求項２】
請求項１に記載の薬液注入装置の連結構造であって、
前記被連結部は、前記ベース部材の側端面から突出し、第一の方向に一直線に延びる突起であり、
前記スライド金具は、前記連結部が左右対称に設けられており、
前記連結部は、前記突起がスライド挿入される溝を形成する断面略Ｃ字状部位である、
ことを特徴とする薬液注入装置の連結構造。
【請求項３】
請求項１または２に記載の薬液注入装置の連結構造であって、
前記ベース部材は、漏出薬液を貯留可能な中空構造であって、その上面には漏出薬液の前記ベース部材内部への流入を許容する流入口が形成されている、ことを特徴とする薬液注入装置の連結構造。
【考案の詳細な説明】
【技術分野】
【０００１】
本考案は、２以上の薬液注入装置を連結する連結構造に関する。
【背景技術】
【０００２】
従来から、配管経路を流れる流体に薬液を注入する薬液注入装置が広く知られている。例えば、クーリングタワーの冷却水や、ボイラのボイラ水の性状を適切に保つために、適宜、薬液を注入する薬液装置が広く知られている。かかる薬液注入装置は、薬液を貯留するタンクや、当該タンク内の薬液を圧送するポンプ、圧送された薬液を配管などに注入する薬液注入部、ポンプの運転を駆動する制御部など、薬液注入に必要な注入機器を組付けて構成される。そして、薬液注入装置は、薬液注入部を注入対象物、例えばクーリングタワーの冷却水循環配管に接続するか、または、冷却水の貯水部分に直接注入するポートに接続して、薬液注入ポンプを運転することにより、薬液槽内の薬液を注入対象物へ注入するようにしている。
【考案の概要】
【考案が解決しようとする課題】
【０００３】
ところで、通常、一つの薬液注入装置では、一種類の薬液しか注入できない。そのため、２種類以上の薬液を注入するためには、２以上の薬液注入装置を設ける必要がある。従来、こうした２以上の薬液注入装置は、耐震性や、一体感（美観）の観点から、互いに機械的に連結され、個々に移動できないようにすることが望ましい。しかしながら、従来、複数の薬液注入装置を機械的に連結することについて殆ど考慮されていなかった。
【０００４】
そこで、本考案では、２以上の薬液注入装置を簡易に機械的に連結でき得る薬液注入装置の連結構造を提供することを目的とする。
【課題を解決するための手段】
【０００５】
本考案の薬液注入装置の連結構造は、２以上の薬液注入装置を互いに連結する薬液注入装置の連結構造であって、前記薬液注入装置のベース部材の端部近傍に設けられた被連結部と、連結される複数の薬液注入装置それぞれの前記被連結部に係合する連結部を備えたスライド金具と、を備え、前記被連結部および前記連結部の一方は、第一の方向に延びる溝を有し、他方は、前記第一の方向にスライド移動することで前記溝に挿入され、かつ、第一の方向以外への移動が規制される突起を有する、ことを特徴とする。
【０００６】
好適な態様では、前記被連結部は、前記ベース部材の側端面から突出し、第一の方向に一直線に延びる突起であり、前記スライド金具は、前記連結部が左右対称に設けられており、前記連結部は、前記突起がスライド挿入される溝を形成する断面略Ｃ字状部位である。他の好適な態様では、前記ベース部材は、漏出薬液を貯留可能な中空構造であって、その上面には漏出薬液の前記ベース部材内部への流入を許容する流入口が形成されている。
【考案の効果】
【０００７】
本考案によれば、スライド移動によりベース部材の被連結部に係合する連結部を備えたスライド金具を用いることにより、２以上の薬液注入装置を簡易に機械的に連結できる。
【図面の簡単な説明】
【０００８】
【図１】本考案の実施形態である連結構造が適用される薬液注入装置の斜視図である。
【図２】ベース部材の斜視図である。
【図３】スライド金具周辺の拡大図である。
【図４】他のスライド金具周辺の拡大図である。
【図５】他の連結構造の一例を示す断面図である。
【図６】他の連結構造の一例を示す断面図である。
【図７】他の連結構造の一例を示す図である。
【考案を実施するための形態】
【０００９】
以下、本考案の実施形態について図面を参照して説明する。図１は、本考案の実施形態である連結構造が適用される薬液注入装置１０の斜視図である。また、図２は、薬液注入装置１０に設けられたベース部材１８の斜視図である。さらに、図３は、本考案の実施形態である連結構造の拡大斜視図である。
【００１０】
本実施形態の連結構造は、２以上の薬液注入装置１０を、機械的に連結し、個々に移動できないようにするものである。この連結構造の説明に先立って、連結対象である薬液注入装置１０について簡単に説明する。薬液注入装置１０は、配管経路を流れる流体、例えば、ビルのクーリングタワーの冷却水や、ボイラのボイラ水などに、薬液を注入する装置である。この薬液注入装置１０は、薬液を貯留するタンク１２や、ポンプやコントローラ（いずれも図示せず）を収容する機械室１４、これらタンク１２や機械室１４が載置されるベース部材１８を有している。タンク１２に貯留された薬液は、ポンプにより、注入対象の配管経路（例えばクーリングタワーの冷却水やボイラのボイラ水の配管経路）に圧送される。コントローラは、上位制御装置（図示せず）からの指示、あるいは、操作部１６を介して入力されたユーザからの指示に応じて、このポンプの駆動を制御する。こうしたタンク１２や機械室１４は、ベース部材１８に載置固定され、一つの薬液注入装置１０としてユニット化されている。
【００１１】
ところで、図１から明らかな通り、通常、一つの薬液注入装置１０には、薬液を貯留するタンク１２は、一つしか設けられていない。そのため、一つの配管経路に複数種類の薬液を注入するためには、複数の薬液注入装置１０を設置する必要がある。かかる複数の薬液注入装置１０は、耐震性や、一体感（美観）の観点から、機械的に連結されていることが望まれる。
【００１２】
この要求を満たすため、本実施形態では、特殊なベース部材１８およびスライド金具４０を用いて、複数の薬液注入装置をより簡易に機械的に連結できる連結構造を提供している。以下、この連結構造について詳説する。
【００１３】
ベース部材１８は、上述した通り、タンク１２や機械室１４が載置固定される部材であり、薬液注入装置の最下部に設けられる。本実施形態では、このベース部材１８を、漏出した薬液を貯留可能な中空構造とし、さらに、その上面に、落下してきた薬液をベース部材１８内部に導く流入口３２を設けている。かかる構造としたのは次の理由による。
【００１４】
一般に、薬液注入装置１０は、例えば、ビルのクーリングタワーの冷却水や、ボイラのボイラ水に、薬液を注入するために用いられる。ここで注入される薬液は、比較的、劇性または毒性が高いことが多い。例えば、クーリングタワーに適用する場合は、殺菌殺藻剤（例えば次亜塩素酸など）が、ボイラ水に適用する場合は、清缶剤や脱酸素剤などが薬液として注入される。
【００１５】
かかる劇性または毒性の高い薬液については、外部に漏出しないことが強く求められている。そのため、従来では、薬液注入装置１０全体を収容可能な大型容器を用意し、当該大型容器の中に薬液注入装置１０を設置していた。かかる構成によれば、タンク１２や配管の破損、配管の接続ミスなどで、薬液が漏出したとしても、漏出した薬液は大型容器の中に留まり、外部に漏れることはない。
【００１６】
しかしながら、かかる大型容器は、薬液注入装置１０の数を気軽に変更できないという問題を招いていた。すなわち、従来、複数の薬液注入装置１０を用いる場合、かかる大型容器も複数用意するか、複数の薬液注入装置１０全部が収容できる更に大型の容器を新たに用意する必要があった。換言すれば、従来は、薬液注入装置１０の数を変更する度に、大型容器を追加または別サイズの容器に変更する必要があった。
【００１７】
また、上述したように、複数の薬液注入装置１０を用いる場合は、耐震性等の観点から、これら複数の薬液注入装置１０は互いに機械的に連結されることが望ましい。しかし、各薬液注入装置１０が、漏出薬液を貯留するための大型容器に収容されていた従来技術では、これら薬液注入装置１０同士を機械的に連結するのは非常に難しかった。
【００１８】
一方、本実施形態では、薬液注入装置１０の一部であるベース部材１８を、漏出した薬液を貯留可能な中空構造とし、当該ベース部材１８内に漏出薬液を貯留する。かかる構成とすることで、漏出薬液を貯蔵するための大型容器が不要となる。その結果、薬液注入装置１０の設置スペースを大幅に低減できる。また、薬液注入装置１０の数が変更されても、大型容器を追加・変更する必要がないため、気軽に数を変更できる。さらに、大型容器が不要であるため、薬液注入装置１０を、後述するスライド金具４０などを用いて容易に連結できる。
【００１９】
このベース部材１８は、耐薬性と適度な剛性を備えた樹脂、例えば、ポリエチレンなどで構成される中空体で、回転成型やブロー成型等の成型技術で成型される。ただし、このベース部材１８は、流入してきた薬液を外部に漏らすことなく貯蔵できるのであれば、一体構造である必要はなく、例えば、皿状の本体と、当該本体の上端開口を液密に塞ぐ蓋体と、からなるツーピース構成などであってもよい。また、ベース部材１８の形状やサイズは、特に限定されないが、設置面積の低減のためには、薬液注入装置１０（ベース部材１８を除く）を一回り程度外側にオフセットさせたような略矩形とすることが望ましい。
【００２０】
ベース部材１８の上面には、ベース部材１８内部への薬液の流入を許容する流入口３２が設けられている。図示例では、この流入口３２をベース部材１８の略中央に設けているが、その設置位置は特に限定されない。また、本実施形態では、この流入口３２を単なる開口としているが、場合によっては、この流入口３２に、異物混入を防止するフィルタなどを設けてもよい。
【００２１】
ベース部材１８の上面は、この流入口３２に向かって徐々にレベルが下がる傾斜面３４となっている。このように傾斜を設けることで、上面のうち、どこに落下した薬液であっても、流入口３２、ひいてはベース部材１８内部へ導かれる。
【００２２】
また、ベース部材１８の上面には、傾斜面３４から突出して浮き出た二つの島部３０が設けられている。この島部３０は、機械室１４や、タンク１２が設置される台座として機能するものである。上面視略Ｌ字状のタンク１２は、この二つの島部３０に跨るように、機械室１４は、図面左側の島部３０に載置される。
【００２３】
ベース部材１８の内部には、液体の有無を検知する液体センサ、例えば、フロートスイッチ（図示せず）などが設けられている。コントローラは、このフロートスイッチからの信号に基づいて薬液の漏出の有無を判断する。
【００２４】
ベース部材１８の側部には、排出口３６が設けられている。排出口３６は、ベース部材１８に貯留された薬液を外部に排出させるための開口で、通常は、開閉自在のドレンコック（図示せず）により閉鎖されている。
【００２５】
ベース部材１８の左右両端には、スライド金具４０が接続される被連結部２０が設けられている。図３は、この被連結部２０とスライド金具４０の拡大図である。被連結部２０は、ベース部材１８の左右両側面から幅方向に突出する突起で、奥行方向に一直線に延びている。この被連結部２０は、幅方向外側に近づくにつれ厚みが増すような断面略台形の突起である。別の見方をすれば、ベース部材１８の左右両端近傍には、奥行き方向に一直線に延びる溝２２が上下に形成されている。本実施形態では、この被連結部２０を利用して、スライド金具４０をベース部材１８に接続している。
【００２６】
スライド金具４０は、二つのベース部材１８（ひいては薬液注入装置１０）を機械的に連結する金具である。本実施形態のスライド金具４０は、図３に示す通り、断面略Ｃ字状の連結部４２が二つ、左右対称に配置されたような形状となっている。各連結部４２には、被連結部２０がスライド挿入可能な溝４２ａが形成されている。この溝４２ａは、被連結部２０と対応した形状を有しており、幅方向外側に近づくにつれて厚みが小さくなる略台形となっている。この溝４２ａに挿入された被連結部２０は、スライド方向（奥行き方向）には移動できるものの、幅方向、高さ方向への移動は規制される。
【００２７】
スライド金具４０の奥行方向端部には、設置部４６が形成されている。この設置部４６は、スライド金具４０を、設置床面にボルト固定するためのボルト穴４６ａが形成されている。
【００２８】
以上のような構成のスライド金具４０を用いて二つのベース部材１８（ひいては薬液注入装置１０）を機械的に連結する場合の流れについて簡単に説明する。二つのベース部材１８を連結する場合は、まず、一つのベース部材１８の被連結部２０を、一つの連結部４２の溝４２ａにスライド挿入する。続いて、連結したい他のベース部材１８の被連結部２０を、もう一つの連結部４２の溝４２ａにスライド挿入する。これにより、二つのベース部材１８がスライド金具４０を介して機械的に連結される。二つのベース部材１８が連結されれば、最後に、設置部４６に設けられたボルト穴４６ａを介して、スライド金具４０を床面に固定すれば、完了となる。
【００２９】
以上の説明から明らかな通り、本実施形態によれば、スライド金具４０は、スライド移動により、二つのベース部材１８に係合できる。その結果、ボルトなどを用いなくても、二つのベース部材１８（ひいては薬液注入装置１０）を簡易に連結できる。そして、これにより、薬液注入装置の数の変更に、柔軟に対応できる。また、複数の薬液注入装置１０について、一体感や高い耐震性を簡易に持たせることができる。
【００３０】
なお、ベース部材１８を他のベース部材１８と連結させない場合は、図４に示すように、連結部４２が一つだけ設けられたスライド金具４０を用いて、ベース部材１８を床面に固定すればよい。
【００３１】
また、ベース部材１８の被連結部２０と、スライド金具４０の連結部４２とは、互いにスライド移動することにより係合し、係合後はスライド移動方向以外への移動を規制し得るのであれば他の形状であってもよい。例えば、図５に示すように、二つの断面略Ｃ字状の連結部４２の間に、ボルト穴４６ａが形成された設置部４６を配置した形状としてもよい。また、これまでの説明では、ベース部材１８に設けられた被連結部２０を突起とし、スライド金具４０の連結部４２に溝を設けていたが、逆であってもよい。すなわち、被連結部２０を、ベース部材１８の側端面に形成された略台形の溝、連結部４２を当該台形溝にスライド挿入される略台形の突起としてもよい。また、台形でなくても、スライド方向以外の移動を規制するのであれば、他の形状であってもよい。例えば、図６に示すように、被連結部２０を、ベース部材１８の側端面に形成されたＴ溝、連結部４２を当該Ｔ溝にスライド挿入されるＴ字状部位としてもよい。
【００３２】
また、長尺のスライド金具４０を用いて、前後に並んだ二つの薬液注入装置１０を連結するようにしてもよい。すなわち、図７に示すように、複数（図示例では二つ）のベース部材の側端面に形成された被連結部２０を、前後に一列に並んだ状態で、一つの長尺な連結部４２にスライド挿入することにより、これら複数のベース部材（ひいては薬液注入装置１０）を連結してもよい。
【符号の説明】
【００３３】
１０  薬液注入装置、１２  タンク、１４  機械室、１６  操作部、１８  ベース部材、２０  被連結部、３０  島部、３２  流入口、３６  排出口、４０  スライド金具、４２  連結部、４６  設置部。
【図１】
0003178818.tif 000003
【図２】
0003178818.tif 000004
【図３】
0003178818.tif 000005
【図４】
0003178818.tif 000006
【図５】
0003178818.tif 000007
【図６】
0003178818.tif 000008
【図７】
0003178818.tif 000009